(57)【要約】【課題】  表表紙部が立体感があり、窓部を有する額縁様に形成され、その窓部に好みの装飾模様片などを取り付けることが可能であり、額縁として再利用できるとともに、焼却時に有害ガスを発生することもなく、紙材として再生利用が可能な装丁体を提供する。【解決手段】  紙製の芯材と表装用化粧紙からなり、表表紙部と裏表紙部とを背部を介して開閉自在に蝶着した装丁体であって、表表紙部の主体部の上下左右辺に枠形成部を、表表紙用芯材と一体に形成し、該枠形成部を巻き込む様に折り畳むことにより立体状に形成した縁取りを設けると共に、表表紙部の内面側に開閉自在な装飾片挟持部を設け、裏表紙の内面に紙葉挿入部を設けた装丁体、およびその製造方法。【選択図】        なし【特許請求の範囲】
【請求項１】
紙製の芯材と表装用化粧紙からなる装丁体であって、表紙部の主体部の上下左右辺に枠形成部を表紙用芯材と一体に形成し、該枠形成部を巻き込む様に折り畳むことにより立体状に形成した縁取りを設けると共に、表紙部の裏面側に開閉自在な装飾片挟持部を設け、裏表紙の内面に紙葉挿入部を設けたことを特徴とする装丁体。
【請求項２】
紙製の芯材と表装用化粧紙からなり、表表紙部と裏表紙部とを背部を介して開閉自在に蝶着した装丁体であって、表表紙部の主体部の上下左右辺に枠形成部を、表表紙用芯材と一体に形成し、該枠形成部を巻き込む様に折り畳むことにより立体状に形成した縁取りを設けると共に、表表紙部の内面側に開閉自在な装飾片挟持部を設け、裏表紙の内面に紙葉挿入部を設けたことを特徴とする装丁体。
【請求項３】
表表紙部用芯材と裏表紙部用芯材との表側面を表装用化粧紙で包み込んだ開閉自在の表紙部と、装飾片挟部用の用紙を２つ折りにして重ね合わせ表装紙を貼り付けた２重構造の部材の１枚の用紙のみに、折り曲げ辺と対向する開口片と上下辺に沿って折り曲げ片に達する波形の切り込みを形成し、それよって枠部と扉部とに分割し、扉部の周辺部のみを表表紙部内面に貼り付けた装飾片挟持部と、裏貼紙の裏貼部に上下に折り曲げ片を備えた紙葉挿入部形成片を連続して設け、折り曲げて重ね合せると共に上下の折り曲げ片を裏貼部の裏面に折り曲げ接着した紙葉挿入部を形成した裏貼紙を裏表紙部内面に貼り付けた紙葉挿入部と、表表紙部と装飾片挟持部の扉部とを貫通する窓部を備えたことを特徴とする装丁体。
【請求項４】
次の（イ）〜（ヘ）の工程からなる装丁体の製造方法。
（イ）紙製の表表紙部用芯材を主体部とその上下左右に枠形成部を設ける如くに打ち抜き、折り曲げ線、および補助折り曲げ線を形成する工程。
（ロ）表表紙部用芯材の枠形成部を巻き込むように折り曲げて立体状の縁取りを有する表表紙部用芯材を形成する工程。
（ハ）立体状の縁取りを有する表表紙部用芯材と表表紙部用芯材を主体部と同形状の裏表紙部用芯材とを表装用化粧紙で包み込んで背部を介して連結する表紙部を作製する工程。
（ニ）裏貼紙の裏貼部に上下に折り曲げ片を備えた紙葉挿入部形成片を連続して設け、折り曲げて重ね合せると共に上下の折り曲げ片を裏貼部の裏面に折り曲げ接着した後、裏表紙部内面に貼り付ける工程。
（ホ）別に、裏表紙用芯紙の２枚分の大きさの紙葉挟部用芯紙を２つ折りにして重ね合わせ、裏貼紙を貼り付けて２重構造の装飾片挟持部材を形成し、１枚の芯紙のみに、折り曲げ辺と対向する開口辺と上下辺に沿って折り曲げ辺側縁に達する切り込みを形成し、扉部の周辺部のみを表表紙部内面に貼り付ける工程。
（へ）表表紙部と紙葉挟持部の扉部とを貫通する窓部を形成する工程。
【発明の詳細な説明】
【技術分野】
【０００１】
本発明は、刺繍等の鑑賞物の装着が容易であり、また、飾り額縁として再度使用できる装丁体に関するものであり、特に、電報用紙、招待状、商品券、切符等を、配達したり贈答したりする際に、それらを取り扱う場合に使用する外観が豪華で美麗な装丁体に関する。
【背景技術】
【０００２】
グリーティングカード、電報用紙、商品券等の各種の印刷紙葉を挟持するホルダーとして使用する装丁体は、厚紙を芯材として表装した表紙部の裏側に紙葉保持部を形成したもの、若しくは厚紙を芯材として表装した表表紙部と裏表紙部とを背部を介して接合し、裏表紙部の内側に紙葉保持部を形成したものが普通であった。例えば、特許文献１〜４に示されている如く、ボール紙からなる芯材を表装した表表紙部と裏表紙部とを背部を介して折畳み可能に連接し、表表紙部に装飾物などを挿入し目視する為の窓部を設けたものや、表表紙部に刺繍等の装飾を施した装丁体が知られている。特許文献１には、表表紙部に窓部を有する額縁体となした装丁体が記載され、その際、立体的に形成される額縁体の縁取りは、例えば、ダンボール紙、ポリウレタン発泡体等の詰め物を貼り付け、その上から表装用化粧紙で包み込むことにより形成されている。
【０００３】
しかしながら、詰め物が芯材と異なる材料から形成されていると、その材料を調達するのに手間がかかり、また、詰め物がポリウレタン発泡体であると、その焼却時にシアンなどの有害ガスが発生したりして好ましくなく、また、紙材として再生利用する際には詰め物を除去する必要があり、手間がかかり、再生利用は困難であった。
また、装丁体の表面の装飾模様が表表紙部に固着されていると、その装飾模様は送り主が選択して贈答するので受取人の好みのものでないこともあり、そのような場合には、しまい込まれるか破棄されてしまうので、装飾模様を好みのものに取り替え得ることが要望されていた。
【０００４】
【特許文献１】特開平１１−３０９９６２号公報
【特許文献２】特開２００１−２９３９８０号公報
【特許文献３】特開２００２−２１１１７３号公報
【特許文献４】実公平０６−０１９５８８号公報
【発明の開示】
【発明が解決しようとする課題】
【０００５】
そこで、本発明は、表表紙部が立体感があり、窓部を有する額縁様に形成され、その窓部に好みの装飾模様片などを取り付けることが可能であり、額縁として再利用できるとともに、焼却時に有害ガスを発生することもなく、紙材として再生利用が可能な装丁体を提供することを課題とする。
【課題を解決するための手段】
【０００６】
本願の第１の発明は、紙製の芯材と表装用化粧紙からなる装丁体であって、表紙部の主体部の上下左右辺に枠形成部を表紙用芯材と一体に形成し、該枠形成部を巻き込む様に折り畳むことにより立体状に形成した縁取りを設けると共に、表表紙部の裏面側に開閉自在な装飾片挟持部を設け、裏表紙の内面に紙葉挿入部を設けたことを特徴とする装丁体、である。
【０００７】
本願の第２の発明は、紙製の芯材と表装用化粧紙からなり、表表紙部と裏表紙部とを背部を介して開閉自在に蝶着した装丁体であって、表表紙部の主体部の上下左右辺に枠形成部を、表表紙用芯材と一体に形成し、該枠形成部を巻き込む様に折り畳むことにより立体状に形成した縁取りを設けると共に、表表紙部の内面側に開閉自在な装飾片挟持部を設け、裏表紙の内面に紙葉挿入部を設けたことを特徴とする装丁体、である。
【０００８】
本願の第３の発明は、表表紙部用芯材と裏表紙部用芯材との表側面を表装用化粧紙で包み込んだ開閉自在の表紙部と、装飾片挟部用の用紙を２つ折りにして重ね合わせ表装紙を貼り付けた２重構造の部材の１枚の用紙のみに、折り曲げ辺と対向する開口片と上下辺に沿って折り曲げ片に達する波形の切り込みを形成し、それよって枠部と扉部とに分割し、扉部の周辺部のみを表表紙部内面に貼り付けた装飾片挟持部と、裏貼紙の裏貼部に上下に折り曲げ片を備えた紙葉挿入部形成片を連続して設け、折り曲げて重ね合せると共に上下の折り曲げ片を裏貼部の裏面に折り曲げ接着した紙葉挿入部を形成した裏貼紙を裏表紙部内面に貼り付けた紙葉挿入部と、表表紙部と装飾片挟持部の扉部とを貫通する窓部を備えたことを特徴とする装丁体、である。
【０００９】
本願の第４の発明は、次の（イ）〜（ヘ）の工程からなる装丁体の製造方法、である。
（イ）紙製の表表紙部用芯材を主体部とその上下左右に枠形成部を設ける如くに打ち抜き、折り曲げ線、および補助折り曲げ線を形成する工程。
（ロ）表表紙部用芯材の枠形成部を巻き込むように折り曲げて立体状の縁取りを有する表表紙部用芯材を形成する工程。
（ハ）立体状の縁取りを有する表表紙部用芯材と表表紙部用芯材を主体部と同形状の裏表紙部用芯材とを表装用化粧紙で包み込んで背部を介して連結する表紙部を作製する工程。
（ニ）裏貼紙の裏貼部に上下に折り曲げ片を備えた紙葉挿入部形成片を連続して設け、折り曲げて重ね合せると共に上下の折り曲げ片を裏貼部の裏面に折り曲げ接着した後、裏表紙部内面に貼り付ける工程。
（ホ）別に、裏表紙用芯紙の２枚分の大きさの紙葉挟部用芯紙を２つ折りにして重ね合わせ、裏貼紙を貼り付けて２重構造の装飾片挟持部材を形成し、１枚の芯紙のみに、折り曲げ辺と対向する開口辺と上下辺に沿って折り曲げ辺側縁に達する切り込みを形成し、扉部の周辺部のみを表表紙部内面に貼り付ける工程。
（へ）表表紙部と紙葉挟持部の扉部とを貫通する窓部を形成する工程。
なお、上記各工程を経て作製された装丁体には、更なる装飾のための箔押しや内容物の説明のための印刷を施すことは適宜なしえることである。
また、第４の発明における（ホ）工程の切り込みは、直線や波形などいかなる形状でのよいが、波形とするこにより切り込み部が長くなり、摩擦係数が向上するので、閉鎖時の保持が容易となる。
【発明の効果】
【００１０】
本発明の装丁体は、表表紙部に立体的な額縁様の縁取りを有し、立体感があり重厚で額縁として再利用できる装丁体であり、さらに、該装丁体は、厚紙、表装用化粧紙、及び裏貼紙でのみで作製されているので、焼却処分しても有害ガスの発生がなく、また、紙材として再生利用が可能である。
【発明を実施するための最良の形態】
【００１１】
本発明を更に具体的に説明する。
本発明の装丁体は、腰の有る厚紙を芯材として用いて、方形の主体部とその上下左右の４辺に枠形成部として機能する折り曲げ片一体に形成し、その折り曲げ片の自由端を巻き込むように折り曲げて断面円弧状の立体的な額状部を形成した表表紙用芯材と、方形主体部と同形の裏表紙用芯材とを表装用化粧紙で包み込んで表紙部を作製する。表表紙部と裏表紙部は、蝶番として機能する背部を介して折り畳み可能に連接する。芯材と用いる腰の有る厚紙としては、白ボール紙、馬糞紙などが用いられる。表装用化粧紙は、装丁体に豪華さや綺麗さを付与するものであれば単層の色紙、模様紙、編織布、ポリオレフィン系フィルム（例えばポリエチレン系フィルム、ポリプロピレン系フィルム等）など如何なる装飾材でのよいが、好ましくは薄層布地と裏打ち紙とを積層してなる材料が好適である。
【００１２】
次いで、裏表紙部の内面に、裏貼紙の裏貼部に上下に折り曲げ片を備えた紙葉挿入部形成片を連続して設け、折り曲げて重ね合せると共に上下の折り曲げ片を裏貼部の裏面に折り曲げ接着した後、裏表紙部内面に貼り付けて、紙葉を出し入れ可能な紙葉挿入部を形成する。
別に、表表紙の主体部の２枚分の大きさの装飾片挟持部用芯材を２つ折りにして重ね合わせ、裏貼紙で包み込んで２重構造の部材を形成し、１枚の芯紙のみに、折り曲げ辺に対向する開口辺、および上下辺に沿って折り曲げ辺側縁に達する波形の切り込みを形成し、それによって枠部と扉部とに分割し、扉部の周辺部のみ糊付けして表表紙部内面に貼り付ける。枠体と扉部とは折り曲げ部を介して蝶番連結しているので、枠体を開くと装飾片挟持部となる。扉部を表表紙部内面に貼り付けるための糊材としては、通常の澱粉糊、ポリ酢酸ビニルなどの化学糊、ホットメルト系接着剤、両面粘着テープ等が用いられる。切り込みを波形に形成するのは、切り込み線を出来るだけ長くしてその摩擦力によりロック機能を持たせるためである。
【００１３】
装飾片としては、メッシュ織物に刺繍した刺繍片、写真、絵画、絵葉書、模様織物等が用いられるが、刺繍片が特に好ましく用いられる。これらの装飾片は、必要に応じて適宜取り替えて使用される。また、窓部は、略芯材２枚分の厚みを有するので、刺繍や押し絵などの立体装飾片を挿入することも可能である。
なお、扉部と表表紙部内面とは周辺のみで貼り付けられているので、窓部近辺では隙間が形成されており、該隙間に刺繍片などの装飾片を挿入して仮止めするこが可能である。
表表紙部の中央であって、額縁様の縁取り部の内側に、紙葉挟持部の扉部とを貫通する窓部を形成する。窓部の形状は、円形、楕円形、三角形、方形、多角形など如何なる形状でも良い。
更なる装飾のために、表裏の表紙部の表面に、箔押し、印刷などによる装飾を施してもよく、刺繍片等の装飾片の説明などの印刷を施してもよい。
【実施例】
【００１４】
図１は、本発明の装丁体を半開した状態を示す概略図であり、装飾性を向上させるために立体的にに形成された額縁様の縁取り枠部３１を備えた表表紙部１１と、表表紙部の内側面に貼着し、刺繍体、写真等の装飾片おを挟持する装飾片挟持部２４と、裏表紙部の内面に設けた紙葉挿入部２２とで構成されている。
【００１５】
《表表紙用芯材の構成》
表表紙用芯材は、腰のある厚紙を打ち抜き加工により作製するものであり、図２に示すように、方形の主体部１２の４辺に上下の折り曲げ片１３、１３と、左右の折り曲げ片１６、１６が一体に形成されている。
上下の折り曲げ片１３、１３は、折り曲げ線１４ａ〜１４ｄによって台形部１３ａ〜１３ｄに区画されており、台形部１３ｂの幅を形成する立体的縁取り枠部の幅と同一にし、台形部１３ａおよび１３ｃの幅を台形部１３ｂの幅より大きくし、台形部１３ａには折り曲げ補助線１５ａが、台形部１３ｃには折り曲げ補助線１５ｂが形成されている。ここで、折り曲げ線１４ｄを谷折に折り曲げる。
【００１６】
次いで、折り曲げ線１４ｃと谷折りに折り曲げ、次いで、折り曲げ線１４ｂを谷折りに折り曲げ、更に、折り曲げ線１４ａを谷折りに折り曲げて立体的縁取り枠部を形成する。そして、折り曲げ片１３ｂを主体部１２に貼り付ける。即ち、台形部１３ｄ乃至１３ａを順次巻き込む様に折り曲げて、主体部１２に台形部１３ｂを貼り付けると、台形部１３ａ及び１３ｃの幅が台形部１３ｂの幅より大きいので、台形部１３ｃは補助折り曲げ線１５ｂに沿って湾曲し、台形部１３ａは補助折り曲げ線１５ａに沿って湾曲し、図５の（ａ）に断面で示す如く、底辺を１３ｂとする膨出部が形成される。図２では補助折り曲げ線１５ｂは１本であるが、該補助折り曲げ線は２本以上複数本えお設けても構わない。
【００１７】
左右の折り曲げ片１６、１６も同様にして、台形部１６ｄ乃至１６ａを折り曲げ線１７ｄ乃至１７ａを順次巻き込む様に折り曲げて、主体部１２に台形部１６ｂを貼り付けると、台形部１６ａ及び１６ｃの幅が第捲縮部１６ｂの幅より大きいので、台形部１６ｃは補助折り曲げ線１８に沿って湾曲し、図５の（ｂ）に断面で示す如く、底辺を１６ｂとする膨出部が形成される。
なお、上記例では、用紙の繊維方向が上下方向に一致するので、上下の台形部１３ａに補助折り曲げ線１５ａを台形部１３ｃには補助折り曲げ線１５ｂを形成し、左右の台形部１６ｃでは、該折り曲げ片のみに補助折り曲げ補助線１８を設けている。
【００１８】
また、折り曲げ片１３によって形成された縁取り枠部と折り曲げ片１６によって形成された縁取り枠部との間に、段違いおよび隙間が生じないように、台形部１３ａの底辺の角度と台形部１６ａの角度は、両者の和が９０度になるようにし、台形部１３ａの側辺の長さと台形部１６ａの側辺の長さは、それらの接合部が一致するように設定している。
なお、補助折り曲げ線に沿う折り曲げを折り曲げ線による折り曲げ工程中に行っているが、折り曲げ線による折曲げを行う前に折り曲げておいても、折り曲げ線の重ね合せ時に自然に折り曲げさせても良い。
【００１９】
《裏表紙用芯材》
図３（ａ）中の１２は表表紙用芯材であり、１９は裏表紙用芯材であって、表表紙用芯材と同一材料で形成され、表表紙用芯材１１の主体部１２と同一寸法に形成されている。
《裏貼紙・紙葉挿入部》
裏表紙から表表紙の一部の折り返し面を覆うように一回り小さい裏貼部２１と、裏貼部の一側に一体に形成され上下に折り返し片を有する紙葉挿入部形成片とで形成された裏貼紙の、上下の折り返し片を裏側に折り曲げ接着し、紙葉装入部２１を備えた裏貼紙を形成する。
【００２０】
《表紙部の組立》
上記のように構成された、表表紙用芯材と裏表紙用芯材とを装丁体の背部を形成するための間隔をおいて並べた形状より一回り大きく、接着剤を塗布した表装用化粧紙２０上に、背部を形成するに必要な幅を隔て、且つ表装用化粧紙２０の四方辺が等間隔にはみだすように載置接着（図３（ａ））し、その後はみ出し部分を芯材の辺を包むように折り返して接着する（図３（ｂ））。さらに、紙葉挿入部２２を形成した裏貼紙２１を表紙部１０の裏面に貼り付ける（図３（ｃ））。したがって、表裏の表紙部は、表装用化粧紙と裏貼紙とで構成された背部を介して蝶番開閉するように形成されている。背部には必要に応じて補強紙を重ねて貼り合わせてもよい。
なお、表表紙部の縁取り枠部は、図５に示す如く、立体的であり、その各台形部の間には空間が存在するが、該枠が表装用化粧紙で覆われるとその空間は密閉され、よって枠部を圧縮しても空間の空気は逃げ場がなく、クッションの如き機能を持たせることができる。
【００２１】
《装飾片挟持部用材・挟持部の組立》
刺繍、写真等の装飾片を挟持する挟部部用の芯材２４（図３（ｄ））を折り曲げ線２５に沿って２つ折にし、２つ折にした形状より一回り大きく、接着剤を塗布した裏貼紙２７上に、裏貼紙２７の四方辺が等間隔にはみ出すように載置接着し（図３（ｅ））、延長部分を裏面側に折り曲げて裏面側に貼り、裏になる芯材にのみ、折り曲げ辺と対向する開口辺と上下辺と平行に周縁から所定の間隔をおいて折り曲げ辺に達する鋸歯状の破断線２６を形成する（図３（ｆ）。したがって、破断線で枠体と分離された扉部３２は、枠体と折り曲げ辺を介して蝶番開閉が可能となる様に連結されている。
【００２２】
《表表紙部と装飾辺挟持部の貼り合わせ》
上記のように構成した表表紙部１１と装飾片挟持部３３は、装飾片挟持部３３の裏面側を表表紙部の裏面側に周辺のみを貼り付け（図３（ｇ））、その後、図４（ａ）、図４（ｂ）に示すように、装飾片挟持部の枠部材を開いて表表紙部材と挟持用部材の内側片を打ち抜き、窓部２８を形成する。この時窓部１２の周縁の表表紙部と挟持用部材とは糊付けされていないので、両者の間に刺繍を施した布帛のように可撓性を有する装飾体を挿入することができ、また、挿入された装飾体は指等で押し出すことにより、容易に抜き取ることができる。
【図面の簡単な説明】
【００２３】
【図１】本発明の装丁体の斜視図である。
【図２】本発明の装丁体を製造するための表表紙の芯材の展開図である。
【図３】本発明の装丁体の組立て工程図である。
【図４】（ａ）は本発明の装丁体の展開図であり、（ｂ）は（ａ）のＩ−Ｉ線における断面図である。
【図５】（ａ）は図１における縁取り枠部のＩ−Ｉ線の断面図であり、（ｂ）は図１における縁取り枠部のII−II線の断面図である。
【符号の説明】
【００２４】
１０  装丁体
１１  表表紙部
１２  主体部
１３  上下の折り曲げ片
１４  折り曲げ線
１５  補助折り曲げ線
１６  左右の折り曲げ片
１７  折り曲げ線
１８  補助折り曲げ線
１９  裏表紙様芯材
２０  表装用化粧紙
２１  裏貼紙
２２  紙葉挿入部
２３  紙葉挟持部
２４  装飾片挟持部
２５  折り曲げ線
２６  波形（鋸歯形）切り込み線
２７  裏貼紙
２８  窓部
３０  装飾片
３１  縁取り枠部
３２  扉部
【図１】
2005081582.tif 000002
【図２】
2005081582.tif 000003
【図３】
2005081582.tif 000004
【図４】
2005081582.tif 000005
【図５】
2005081582.tif 000006